(57)【要約】【課題】  鑑賞者に対して容易に複数のコンテンツの画像を提供する。【解決手段】  異なるコンテンツに属する画像を時分割で表示する表示手段２と、上記画像のうち所定の同一コンテンツに属する画像の画像光のみが選択的に透過されるように上記表示手段と同期して時分割で駆動される選択手段３１，３２と、上記表示手段２と上記選択手段３１，３２とを同期させる同期手段とを備える。【選択図】              図１
2006186768.tif 000002
【特許請求の範囲】
【請求項１】
異なるコンテンツに属する画像を時分割で表示する表示手段と、
前記画像のうち所定の同一コンテンツに属する画像の画像光のみが選択的に透過されるように前記表示手段と同期して時分割で駆動される選択手段と、
前記表示手段と前記選択手段とを同期させる同期手段と
を備えることを特徴とする画像表示装置。
【請求項２】
前記選択手段は、前記画像のうち前記所定の同一コンテンツと異なる他の同一コンテンツに属する画像の画像光のみを選択的に透過するように切り替え可能であることを特徴とする請求項１記載の画像表示装置。
【請求項３】
前記所定の同一コンテンツに属する画像が視差画像であり、前記選択手段は、前記視差画像のうち右目用画像の画像光を鑑賞者の右目のみに到達させる右目用透過部と前記視差画像のうち左目用画像の画像光を前記鑑賞者の左目のみに到達させる左目用透過部とを備えることを特徴とする請求項１または２記載の画像表示装置。
【請求項４】
前記選択手段は、液晶シャッターであることを特徴とする請求項１〜３いずれかに記載の画像表示装置。
【請求項５】
前記同期手段は、前記表示手段側に配置され該表示手段に表示される画像に応じて可視領域に含まれない光を射出する非可視光射出手段と、前記選択手段側に配置され前記光の受光状態に応じて前記表示手段と前記選択手段とを同期させる同期信号を出力する受光部とを備えることを特徴とする請求項１〜４いずれかに記載の画像表示装置。
【請求項６】
前記選択手段が透過する画像光に応じた音声を、前記選択手段が透過する画像光が到達される鑑賞者に対してのみ出力する音声出力部を備えることを特徴とする請求項１〜５いずれかに記載の画像表示装置。
【請求項７】
前記音声出力部と前記選択手段とが眼鏡として一体形成されていることを特徴とする請求項６記載の画像表示装置。
【請求項８】
前記表示手段は、プロジェクタとスクリーンとを備えて構成されることを特徴とする請求項１〜７いずれかに記載の画像表示装置。
【請求項９】
異なるコンテンツに属する画像を時分割で表示し、前記画像のうち鑑賞者が所望する同一コンテンツに属する画像が表示されるタイミングと同期して画像光を透過させて鑑賞者に到達させることを特徴とする画像表示方法。
【発明の詳細な説明】
【技術分野】
【０００１】
本発明は、画像表示装置及び方法に関するものである。
【背景技術】
【０００２】
従来より、単一の画面上に複数の画像を表示し、これらの画像のうち、同一コンテンツに属する画像のみを鑑賞者に選択的に到達させることによって、鑑賞者に所望のコンテンツの画像を視認させる技術がある（特許文献１参照）。
【０００３】
この技術によれば、一方のプロジェクタから偏光方向が縦方向とされた同一コンテンツに属する画像（特許文献１においては事物の外観の画像）をスクリーン上に投影し、他方のプロジェクタから偏光方向が横方向とされた同一コンテンツに属する画像（特許文献１においては事物の内部構造の画像）をスクリーン上に投影し、鑑賞者に偏光方向の異なる偏光メガネを選択的に装着してもらうことによって、鑑賞者に対して所望のコンテンツの画像を視認させている。
【０００４】
このような技術によれば、２人の鑑賞者が各々偏光方向の異なる偏光メガネを装着することによって、各々の鑑賞者に対して異なるコンテンツの画像を提供することが可能となる。
【特許文献１】特開平４−３２１０２０号公報
【発明の開示】
【発明が解決しようとする課題】
【０００５】
しかしながら、特許文献１の技術においては、画像光の偏光方向によってコンテンツを振り分けているため、最大で２つのコンテンツまでしか表示することができない。これ以上のコンテンツの画像をスクリーン上に投影した場合には、偏光メガネの偏光方向は縦方向あるいは横方向にのみしか形成することができないため、鑑賞者が全てのコンテンツを任意に選択することが実質的に不可能となる。
【０００６】
また、特許文献１の技術においては、鑑賞者が異なるコンテンツの画像の鑑賞を希望する場合には、偏光メガネを取り替える必要性が生じる。このため、鑑賞者全員に対して偏光方向の異なる２つの偏光メガネを用意する必要が生じるとともに、コンテンツを変更する場合に鑑賞者の手を煩わすこととなる。
【０００７】
本発明は、上述する問題点に鑑みてなされたもので、鑑賞者に対して容易に複数のコンテンツの画像を提供することを目的とする。
【課題を解決するための手段】
【０００８】
上記目的を達成するために、本発明の画像表示装置は、異なるコンテンツに属する画像を時分割で表示する表示手段と、上記画像のうち所定の同一コンテンツに属する画像の画像光のみが選択的に透過されるように上記表示手段と同期して時分割で駆動される選択手段と、上記表示手段と上記選択手段とを同期させる同期手段とを備えることを特徴とする。
【０００９】
また、本発明の画像表示方法は、異なるコンテンツに属する画像を時分割で表示し、上記画像のうち鑑賞者が所望する同一コンテンツに属する画像が表示されるタイミングと同期して画像光を透過させて鑑賞者に到達させることを特徴とする。
【００１０】
このような本発明の画像表示装置及び方法においては、異なるコンテンツに属する画像が時分割で表示され、鑑賞者が所望する同一コンテンツに属する画像が表示されるタイミングと同期して画像光が透過されて鑑賞者に到達される。
このため、鑑賞者には同一コンテンツに属する画像の画像光のみが到達されるため、鑑賞者には、あたかも表示手段にその同一コンテンツの画像のみが表示されているように視認される。すなわち、本発明の画像表示装置及び方法によれば、所望の画像が表示されるタイミングと画像光が透過されるタイミングとを同期させることによって、任意のコンテンツの画像を鑑賞者が容易に鑑賞することが可能となる。よって、本発明の画像表示装置及び方法によれば、鑑賞者に対して容易に複数のコンテンツの画像を提供することが可能となる。
また、本発明の画像表示装置及び方法においては、異なるコンテンツに属する画像が時分割で表示されるため、３つ以上のコンテンツの画像を表示することができる。そして、任意のコンテンツの画像が表示されるタイミングと同期させて画像光を透過させることによって、異なるコンテンツの画像が混ざることなく鑑賞者に対して視認させることが可能であるため、鑑賞者に対してより複数のコンテンツの画像を提供することが可能となる。
【００１１】
また、本発明の画像表示装置においては、上記選択手段は、上記画像のうち上記所定の同一コンテンツと異なる他の同一コンテンツに属する画像の画像光のみを選択的に透過するように切り替え可能であるという構成を採用することができる。
このような構成を採用することによって、単一の選択手段によって、鑑賞者が視認するコンテンツを変更することができるため、従来の技術のようにコンテンツを変更する際に眼鏡を交換する等の煩わしい作業を鑑賞者に対して強いる必要がなくなり、より容易に鑑賞者に対して容易に複数のコンテンツの画像を提供することが可能となる。
【００１２】
また、本発明の画像表示装置においては、上記所定の同一コンテンツに属する画像が視差画像であり、上記選択手段は、上記視差画像のうち右目用画像の画像光を鑑賞者の右目のみに到達させる右目用透過部と上記視差画像のうち左目用画像の画像光を上記鑑賞者の左目のみに到達させる左目用透過部とを備えるという構成を採用することができる。
このような構成を採用することによって、鑑賞者の右目のみに視差画像の右目用画像が到達され、鑑賞者の左目のみに視差画像の左目用画像が到達され、これらの画像を鑑賞者の脳が合成することによって、鑑賞者が立体画像を視認することができる。
なお、右目用画像と左目用画像は表示手段において時分割で別々に表示されるが、これらの右目用画像と左目用画像とは、両方によって１つの画像（立体画像）を形成するものであるため、本発明においては、同一コンテンツに属される画像である。
【００１３】
なお、本発明の画像表示装置において、具体的には、上記選択手段が、液晶シャッターであるという構成を採用することができる。
また、上記同期手段が、上記表示手段側に配置され該表示手段に表示される画像に応じて可視領域に含まれない光を射出する非可視光射出手段と、上記選択手段側に配置され上記光の受光状態に応じて上記表示手段と上記選択手段とを同期させる同期信号を出力する受光部とを備えるという構成を採用することができる。
また、表示手段が、プロジェクタとスクリーンとを備えて構成されるという構成を採用することができる。
【００１４】
また、本発明の画像表示装置においては、上記選択手段が透過する画像光に応じた音声を、上記選択手段が透過する画像光が到達される鑑賞者に対してのみ出力する音声出力部を備えるという構成を採用することができる。
このような構成を採用することによって、コンテンツに音声が含まれている場合であっても、鑑賞者に対して異なる音声が混合されることなく、そのコンテンツに対応する音声を提供することが可能となる。
【００１５】
また、本発明の画像表示装置においては、上記音声出力部と上記選択手段とが眼鏡として一体形成されているという構成を採用することができる。
このような構成を採用することによって、鑑賞者が眼鏡のみを装着することによって、鑑賞者に対して画像と音声の両方を提供することが可能となる。  
【発明を実施するための最良の形態】
【００１６】
以下、図面を参照して、本発明に係る画像表示装置及び方法の一実施形態について説明する。なお、以下の図面において、各部材を認識可能な大きさとするために、各部材の縮尺を適宜変更している。
【００１７】
図１は、本実施形態の画像表示装置１の概略構成を示した斜視図である。この図に示すように、本実施形態の画像表示装置１は、表示装置２（表示手段）と眼鏡３とを備えて構成されている。
【００１８】
表示装置２は、異なるコンテンツに属する画像を時分割で表示するものである。図２に、表示装置２の機能構成を示したブロック図を示す。この図２に示すように、表示装置２は、信号処理部２１、赤外発光ＬＥＤ（Light Emitting Diode）２２（非可視光射出手段）、プロジェクタ２３及びスクリーン２４を備えて構成されている。
【００１９】
信号処理部２１は、プロジェクタ２３と接続されており、外部から入力される画像信号を所定のタイミングでプロジェクタ２３に向けて出力する。なお、信号処理部２１には、複数のコンテンツ（例えば、ニュース番組、ドラマ及び立体画像番組）の画像信号が入力される。そして、信号処理部２１は、これらの複数のコンテンツの画像信号を、例えばフレーム単位で分割し、時分割で出力する。なお、信号処理部２１において画像信号を分割する際には、必ずしもフレーム単位で分割する必要はなく、さらに細かくあるいはさらに大まかに分割しても良い。そして、信号処理部２１からは、例えば、ニュース番組、ドラマ、立体画像番組の順で繰り返し画像信号が出力される。
この他、信号処理部２１は、外部から入力される音声信号をアンテナ等を介して出力する。
【００２０】
また、信号処理部２１は、赤外発光ＬＥＤ２２とも接続されており、自らがプロジェクタ２３に向けて出力する画像信号と同期して赤外発光ＬＥＤ２２を駆動するための駆動信号を出力する。なお、信号処理部２１は、自らが出力する画像信号の種類（コンテンツ）に応じて異なる駆動信号を出力する。すなわち、ニュース番組の画像信号を出力する場合と、ドラマの画像信号を出力する場合と、立体画像番組を出力する場合と、に応じた駆動信号を赤外発光ＬＥＤ２２に向けて出力する。なお、信号処理部２１は、立体画像番組を出力する場合には、後に詳説するが、視差画像のうち右目用画像に対応する画像信号を出力する場合と、視差画像のうち左目用画像に対応する画像信号を出力する場合と、に応じて異なる駆動信号を赤外発光ＬＥＤ２２に向けて出力する。
【００２１】
赤外発光ＬＥＤ２２は、信号処理部２１から入力される駆動信号に応じて、可視領域に含まれない光である赤外光を射出するものである。そして、赤外発光ＬＥＤ２２は、信号処理部２１から入力される駆動信号の種類に応じて、発光時間や発光パターンを変化して発光する。
【００２２】
プロジェクタ２３は、信号処理部２１から入力される画像信号に応じて画像光をスクリーン２４に向けて投射することによってスクリーン２４上に画像を表示させるものである。
ここで、プロジェクタ２４には、信号処理部２１から複数のコンテンツの画像信号が、時分割で入力されるため、本実施形態の画像表示装置１においては、スクリーン２４上に異なるコンテンツに属する画像が時分割で表示される。すなわち、ニュース番組、ドラマ、立体画像番組の順で繰り返し画像が表示される。なお、プロジェクタ２３としては、光変調素子として液晶ライトバルブを備えるものや、光変調素子としてデジタルマイクロミラーデバイス（ＤＭＤ：登録商標）を備えるもの等を用いることができる。
【００２３】
図１に戻り、眼鏡３は、鑑賞者が装着するものであり、液晶シャッター（選択手段）からなる右目用透過部３１と左目用透過部３２と、スピーカー３３（音声出力部）とが一体形成されたものである。
【００２４】
図３は、眼鏡３の機能構成を示したブロック図である。この図に示すように、眼鏡３は、右目用透過部３１、左目用透過部３２及びスピーカー３３の他に、モード切替スイッチ３４、赤外光受光素子３５（受光部）と、透過部駆動部３６と、音声信号受信選択部３７と備えて構成されている。
【００２５】
モード切替スイッチ３４は、鑑賞者が視認するコンテンツの切り替えるためのスイッチであり、本実施形態の画像表示装置１においては、鑑賞者の手によって切り替え可能とされている。そして、このモード切替スイッチ３４は、例えば、眼鏡３の表面にスライドスイッチ等として配置されている。
【００２６】
赤外受光素子３５は、表示装置２に備えられた赤外発光ＬＥＤ２２において発光された赤外光を受光し、その結果を示す信号を同期信号として出力するものであり、眼鏡３の前面に設置されている。ここで、表示装置２に備えられた赤外発光ＬＥＤ２２は、信号処理部２１から入力される駆動信号の種類に応じて、発光時間や発光パターンを変化して発光する。この駆動信号は、プロジェクタ２３に入力される画像信号の種類に応じて異なっているため、スクリーン２４上に表示される画像の種類に応じて赤外受光素子３５の出力結果（同期信号）が異なることとなる。
【００２７】
透過部駆動部３６は、液晶シャッターからなる右目用透過部３１及び左目用透過部３２を駆動するためのものであり、モード切替スイッチ３４と赤外受光素子３５との各々に接続されている。そして、透過部駆動部３６は、モード切替スイッチ３４から鑑賞者がどのコンテンツを鑑賞しようとしているかの情報を取得し、また、赤外受光素子３５から鑑賞者が所望するすなわちモード切替スイッチ３４が合わされたコンテンツの画像がスクリーン２４上に表示されるタイミングを取得し、これらの情報に基づいて右目用透過部３１及び左目用透過部３２を駆動する。具体的には、スクリーン２４上に鑑賞者が所望するコンテンツの画像が形成された場合においてのみ画像光が右目用透過部３１あるいは／及び左目用透過部３２を透過するように右目用透過部３１及び左目用透過部３２を駆動する。
【００２８】
例えば、鑑賞者がニュース番組の鑑賞を所望している場合には、スクリーン２４上にニュース番組に属する画像が表示された際のみに、右目用透過部３１及び左目用透過部３２が画像光を透過するように駆動される。これによって、ドラマに属する画像及び立体画像番組に属する画像が鑑賞者に到達されることがないため、鑑賞者はニュース番組を鑑賞することが可能となる。
また、鑑賞者がドラマの鑑賞を所望している場合には、スクリーン２４上にドラマに属する画像が表示された際のみに、右目用透過部３１及び左目用透過部３２が画像光を透過するように駆動される。これによって、ニュース番組に属する画像及び立体画像番組に属する画像が鑑賞者に到達されることがないため、鑑賞者はドラマを鑑賞することが可能となる。
また、鑑賞者が立体画像番組の鑑賞を所望している場合には、スクリーン２４上に視差画像のうち右目用画像が表示された際のみに、右目用透過部３１が画像光を透過するように駆動され、スクリーン２４上に視差画像のうち左目用画像が表示された際のみに、左目用透過部３２が画像光を透過するように駆動される。これによって、ニュース番組に属する画像、ドラマに属する画像及び視差画像のうち左目用画像が鑑賞者の右目に到達されることがなく、ニュース番組に属する画像、ドラマに属する画像及び視差画像のうち右目用画像が鑑賞者の左目に到達されることがないため、鑑賞者は立体画像を鑑賞することが可能となる。
【００２９】
音声信号受信選択部３７は、表示装置２の信号処理部２１からアンテナ等を介して入力される音声信号を選択してスピーカー３３に向けて出力するものであり、モード切替スイッチ３４と接続されている。そして、音声信号受信選択部３７は、モード切替スイッチ３４から鑑賞者がどのコンテンツを鑑賞しようとしているかの情報を取得し、この情報に基づいた音声信号を選択して出力する。
そして、スピーカー３３は、音声信号受信選択部３７から入力された音声信号に基づいて音声を出力する。これによって、鑑賞者に所望するコンテンツに応じた音声のみを提供することができる。
【００３０】
なお、眼鏡３には、不図示の電力供給源（例えば、電池）が搭載されており、この電力供給源から、透過部駆動部３６や音声信号受信選択部３７に電力が供給される。
また、本実施形態の画像表示装置１においては、本発明の同期手段が赤外発光ＬＥＤ２２及び赤外受光素子３５を備えて構成されている。
【００３１】
次に、このように構成された本実施形態の画像表示装置１の動作（画像表示方法）について説明する。
【００３２】
まず、複数のコンテンツの画像信号が外部から信号処理部２１に入力されると、信号処理部２１は、複数のコンテンツの画像信号を例えばフレーム単位に分割して時分割で出力する。図４に信号処理部２１から出力される画像信号の一例を示す。この図に示すように、信号処理部２１は、例えば立体画像番組に属する画像信号（ａ）、ニュース番組に属する画像信号（ｂ）、ドラマに属する画像信号（ｃ）の順に画像信号を繰り返し出力する。なお、上述のように、立体画像番組に属する画像信号は、視差画像の信号であるため、信号処理部２１は、立体画像番組に属する画像信号を出力する際には、右目用画像の画像信号（ａ１）と左目用画像の画像信号（ａ２）とを交互に出力する。
【００３３】
また、信号処理部２１は、複数のコンテンツの画像信号を時分割で出力すると同時に、赤外発光ＬＥＤ２２を駆動するための駆動信号も出力する。この駆動信号は、上述のように、信号処理部２１から出力される画像信号の種類に応じてパルス幅やパターンが異なるものとされており、信号処理部２１から出力される画像信号を同期して出力される。
【００３４】
図５は、信号処理部２１から出力される駆動信号の一例である。なお、本実施形態の画像表示装置１及び方法においては、４ｍｓｅｃを単位時間とし、異なる駆動信号が出力されるまでの間は、先の駆動信号が４ｍｓｅｃごとに繰り返し出力されている。
この図に示すように、例えば、信号処理部２１が立体画像番組に属する画像信号のうち右目用画像の画像信号（ａ１）を出力する場合には、パルス幅が０．５ｍｓｅｃのパルス信号が単位時間中１回のみ出力される。また、信号処理部２１がニュース番組に属する画像信号（ｂ）を出力する場合には、パルス幅が１．５ｍｓｅｃのパルス信号が単位時間中１回のみ出力される。また、信号処理部２１がドラマに属する画像信号（ｃ）を出力する場合には、パルス幅が２．５ｍｓｅｃのパルス信号が単位時間中１回のみ出力される。また、信号処理部２１が立体画像番組に属する画像信号のうち左目用画像の画像信号（ａ２）を出力する場合には、単位時間中に、まずパルス幅が０．５ｍｓｅｃのパルス信号が出力された後、１．０ｍｓｅｃ隔ててパルス幅１．０ｍｓｅｃのパルス信号が出力される。すなわち、立体画像番組に属する画像信号のうち左目用画像の画像信号（ａ２）を出力する場合には、これら２つのパルス信号によって駆動信号が構成されている。
なお、本実施形態の画像表示装置１及び方法においては、各駆動信号は、各々の駆動信号が対応する画像信号が信号処理部２１から出力される３ｍｓｅｃ前に信号処理部２１から出力される。これによって、画像信号の出力タイミングと駆動信号の出力タイミングとの同期が図られている。
【００３５】
信号処理部２１から出力された画像信号は、その後、プロジェクタ２３に入力する。そして、プロジェクタ２３は、入力された画像信号に基づいた画像光をスクリーン２４に向けて投射する。これによって、スクリーン２４上に画像信号に基づいた画像が表示される。ここで、本実施形態の画像表示装置１及び方法においては、信号処理部２１から複数のコンテンツの画像信号が時分割で出力されている。このため、スクリーン２４上において表示される画像も複数のコンテンツの画像が時分割で表示される。具体的には、立体画像番組（右目用画像）、ニュース番組、ドラマ、立体画像番組（左目用画像）、ニュース番組、ドラマのように複数のコンテンツの画像が順じ表示される。
【００３６】
また、信号処理部２１から出力された駆動信号は、その後、赤外発光ＬＥＤ２２に入力する。そして、赤外発光ＬＥＤ２２は、入力された駆動信号に基づいて赤外光を出力する。具体的には、駆動信号を構成するパルス信号がＨｉｇｈの場合に赤外光が発光される。例えば、信号処理部２１が立体画像番組に属する画像信号のうち右目用画像の画像信号（ａ１）を出力する場合には、パルス幅が０．５ｍｓｅｃのパルス信号が駆動信号として入力されるため、赤外発光ＬＥＤ２２は、単位時間（４ｍｓｅｃ）中最初の０．５ｍｓｅｃ間発光する。また、信号処理部２１がニュース番組に属する画像信号（ｂ）を出力する場合には、パルス幅が１．５ｍｓｅｃのパルス信号が駆動信号として入力されるため、赤外発光ＬＥＤ２２は、単位時間中最初の１．５ｍｓｅｃ間発光する。また、信号処理部２１がドラマに属する画像信号（ｃ）を出力する場合には、パルス幅が２．５ｍｓｅｃのパルス信号が駆動信号として入力されるため、赤外発光ＬＥＤ２２は、単位時間中の最初の２．５ｍｓｅｃ間発光する。また、信号処理部２１が立体画像番組に属する画像信号のうち左目用画像の画像信号（ａ２）を出力する場合には、パルス幅が０．５ｍｓｅｃのパルス信号と、その後、１．０ｍｓｅｃ隔てられたパルス幅１．０ｍｓｅｃのパルス信号とが駆動信号として入力されるため、赤外発光ＬＥＤ２２は、単位時間中最初の０．５ｍｓｅｃ間発光した後、１．０ｍｓｅｃ間消灯し、再び１．０ｍｓｅｃ間発光する。なお、上述のように、各駆動信号は、各々の駆動信号が対応する画像信号が信号処理部２１から出力される３ｍｓｅｃ前に信号処理部２１から出力されるため、赤外発光ＬＥＤ２２は、所定のコンテンツの画像がスクリーン２４上に表示される３ｍｓｅｃ前からそのコンテンツに対応する駆動信号によって駆動が開始される。
【００３７】
一方、眼鏡３においては、赤外受光素子３５が表示装置２の赤外発光ＬＥＤ２２から射出された赤外光を受光すると、その結果を示す信号がＡＭＰ（アンプ）を介して増幅された後、透過部駆動部３６に入力される。なお、本実施形態の画像表示装置１及び方法においては、赤外受光素子３５から出力される受光結果を示す信号（同期信号）は、表示装置２の赤外発光ＬＥＤ２２に入力される駆動信号と同様であるものとする。
【００３８】
このように、透過部駆動部３６に受光結果を示す信号が入力されると、透過部駆動部３６は、これらの受光結果を示す信号に基づいて、右目用透過部３１と左目用透過部３２を駆動する。具体的には、鑑賞者が所望するすなわちモード切替スイッチ３４が合わされたコンテンツの画像がスクリーン２４上に表示された際に右目用透過部３１あるいは／及び左目用透過部３２を画像光が透過するように駆動する。
【００３９】
ここで、透過部駆動部３６がいずれのコンテンツの画像がスクリーン２４上に表示されているかを判断する方法の一例について説明する。
上述のように、透過部駆動部３６に入力される受光結果を示す信号は、赤外発光ＬＥＤ２２に入力される信号と同様である。
このため、スクリーン２４上に立体画像番組に属する画像のうち右目用画像が表示されている場合には、透過部駆動部３６に、パルス幅が０．５ｍｓｅｃのパルス信号が入力される。また、スクリーン２４上にニュース番組に属する画像が表示されている場合には、透過部駆動部３６に、パルス幅が１．５ｍｓｅｃのパルス信号が入力される。また、スクリーン２４上にドラマに属する画像が表示されている場合には、透過部駆動部３６に、パルス幅が２．５ｍｓｅｃのパルス信号が入力される。また、スクリーン２４上に立体画像番組に属する画像のうち左目用画像が表示されている場合には、透過部駆動部３６に、パルス幅が０．５ｍｓｅｃのパルス信号と、その後、１．０ｍｓｅｃ隔てられたパルス幅１．０ｍｓｅｃのパルス信号とが入力される。
【００４０】
そして、透過部駆動部３６は、最初のパルス信号が入力された際を単位時間（ここでは４ｍｓｅｃ）の開始として判断し、この単位時間において１ｍｓｅｃごとに信号の電圧値を測定することによって、いずれのコンテンツの画像がスクリーン２４上に表示されているかを判断する。
具体的には、透過部駆動部３６は、パルス幅が０．５ｍｓｅｃのパルス信号が入力された場合には、１ｍｓｅｃ後の信号電圧がＬｏｗ、２ｍｓｅｃ後の信号電圧がＬｏｗとなるため、この場合を立体画像番組に属する画像のうち右目用画像がスクリーン２４上に表示されていると判断する。また、透過部駆動部３６は、パルス幅が１．５ｍｓｅｃのパルス信号が入力された場合には、１ｍｓｅｃ後の信号電圧がＨｉｇｈ、２ｍｓｅｃ後の信号電圧がＬｏｗとなるため、この場合をニュース番組に属する画像がスクリーン２４上に表示されていると判断する。また、透過部駆動部３６は、パルス幅が２．５ｍｓｅｃのパルス信号が入力された場合には、１ｍｓｅｃ後の信号電圧がＨｉｇｈ、２ｍｓｅｃ後の信号電圧がＨｉｇｈとなるため、この場合をドラマに属する画像がスクリーン上に表示されていると判断する。また、透過部駆動部３６は、パルス幅が０．５ｍｓｅｃのパルス信号と、その後、１．０ｍｓｅｃ隔てられたパルス幅１．０ｍｓｅｃのパルス信号とが入力された場合には、１ｍｓｅｃ後の信号電圧がＬｏｗ、２ｍｓｅｃ後の信号電圧がＨｉｇｈとなるため、この場合を立体画像番組のうち左目用画像がスクリーン２４上に表示されていると判断する。
【００４１】
そして、透過部駆動部３６は、この判断に基づき、モード切替スイッチ３４が合わされたコンテンツの画像がスクリーン２４上に表示された際に右目用透過部３１あるいは／及び左目用透過部３２を画像光が透過するように駆動する。
具体的には、モード切替スイッチ３４が立体画像番組に合わされている場合には、透過部駆動部３６は、パルス幅が０．５ｍｓｅｃのパルス信号が入力された場合に右目用透過部３１を画像光が透過するように駆動し、パルス幅が０．５ｍｓｅｃのパルス信号と、その後、１．０ｍｓｅｃ隔てられたパルス幅１．０ｍｓｅｃのパルス信号とが入力された場合に左目用透過部３２を画像光が透過するように駆動する。そして、このように右目用透過部３１及び左目用透過部３２が駆動されることによって、スクリーン２４上に表示された画像のうち、立体画像番組に属する画像のうち右目用画像のみが鑑賞者の右目に到達され、立体画像番組に属する画像のうち左目用画像のみが鑑賞者の左目に到達される。したがって、鑑賞者は、立体画像番組を視認することができる。
また、モード切替スイッチ３４がニュース番組に合わされている場合には、透過部駆動部３６は、パルス幅が１．５ｍｓｅｃのパルス信号が入力された場合に右目用透過部３１及び左目用透過部３２を画像光が透過するように駆動する。そして、このように右目用透過部３１及び左目用透過部３２が駆動されることによって、スクリーン２４上に表示された画像のうち、ニュース番組に属する画像が鑑賞者に到達される。したがって、鑑賞者は、ニュース番組を視認することができる。
また、モード切替スイッチ３４がドラマに合わされている場合には、透過部駆動部３６は、パルス幅が２．５ｍｓｅｃのパルス信号が入力された場合に右目用透過部３１及び左目用透過部３２を画像光が透過するように駆動する。そして、このように右目用透過部３１及び左目用透過部３２が駆動されることによって、スクリーン２４上に表示された画像のうち、ドラマに属する画像が鑑賞者に到達される。したがって、鑑賞者は、ドラマを視認することができる。
【００４２】
なお、本実施形態の画像表示装置１及び方法においては、上述のように、表示装置２の信号処理部２１から赤外発光ＬＥＤ２２に向けて出力される駆動信号が、信号処理部２１からプロジェクタ２３に向けて出力される画像信号よりも３ｍｓｅｃ前に出力される。このため、スクリーン２４上にその画像信号に基づく画像が表示される３ｍｓｅｃ前に透過部駆動部３６に赤外受光素子３５から受信結果を示す信号が入力される。このため、透過部駆動部３６には、右目用透過部３１及び左目用透過部３２を駆動するための準備時間が与えられる。このため、右目用透過部３１及び左目用透過部３２を所望のコンテンツの画像がスクリーン２４上に表示されるタイミングと完全に同期させることが可能となる。
【００４３】
また、信号処理部２１から出力された音声信号は、アンテナ等を介して眼鏡３の音声信号選択部３７に入力される。そして、音声信号選択部３７は、モード切替スイッチ３４が合わされたコンテンツに応じた音声信号を選択してスピーカー３３に向けて出力する。その結果、スピーカー３３からは、鑑賞者が所望するコンテンツの音声が出力される。このため、鑑賞者は、コンテンツに応じた音声を聞くことが可能となる。
【００４４】
このような本実施形態の画像表示装置１及び方法によれば、異なるコンテンツに属する画像が時分割で表示され、鑑賞者が所望する同一コンテンツに属する画像が表示されるタイミングと同期して画像が透過されて鑑賞者に到達される。このため、鑑賞者には同一コンテンツに属する画像の画像光のみが到達されるため、鑑賞者には、あたかもスクリーン２４上にその同一コンテンツの画像のみが表示されているように視認される。よって、任意のコンテンツの画像を鑑賞者が容易に鑑賞することが可能となる。したがって、本実施形態の画像表示装置１及び方法によれば、鑑賞者に対して容易に複数のコンテンツの画像を提供することが可能となる。
また、本実施形態の画像表示装置１及び方法によれば、異なるコンテンツに属する画像が時分割で表示されるため、３つ以上のコンテンツの画像をスクリーン２４上に表示することができる。そして、任意のコンテンツの画像が表示されるタイミングと同期されて画像光が透過されることによって、異なるコンテンツの画像が混ざることなく鑑賞者に対して視認させることが可能となる。したがって、鑑賞者に対してより複数のコンテンツの画像を提供することが可能となる。
【００４５】
また、本実施形態の画像表示装置１及び方法によれば、鑑賞者がモード切替スイッチ３４を切り替えることによって異なるコンテンツの画像を視認することができるため、鑑賞者が容易に眼鏡等を取り替えることなく、容易に異なるコンテンツの画像を視認することができる。
【００４６】
また、本実施形態の画像表示装置１及び方法によれば、鑑賞者が複数人である場合であっても、各々の鑑賞者が単一のスクリーン２４上に好みのコンテンツの画像を視認することが可能となる。
【００４７】
また、本実施形態の画像表示装置１及び方法によれば、スピーカー３３が眼鏡３に備えられているため、画像に対応する音声があった場合に、各鑑賞者の各々が、画像に対応した音声を聞くことが可能となる。
【００４８】
また、本実施形態の画像表示装置１及び方法においては、表示装置２と透過部３１，３２とを同期させるために、赤外発光ＬＥＤ２２及び赤外受光素子３５を用いているため、赤外発光ＬＥＤ２２と赤外受光素子３５との間においては、可視領域外の光において情報の伝達が行われる。このため、スクリーン２４上に表示された画像の視認性が低下することを防止することができる。
【００４９】
以上、添付図面を参照しながら本発明に係る画像表示装置及び方法の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００５０】
例えば、上記実施形態においては、信号処理部２１は外部から入力される複数のコンテンツに属する画像信号を分割して時分割で出力した。しかしながら、本発明は、これに限定されるものではなく、信号処理部２１が複数のコンテンツに属する画像信号を生成し、この画像信号を分割して時分割で出力しても良い。また、音声信号についても同様である。
【００５１】
また、上記実施形態においては、本発明の選択手段として液晶シャッターからなる右目用透過部３１及び左目用透過部３２を採用した。しかしながら、本発明は、これに限定されるものではなく、画像光を透過状態と非透過状態とに変更できるものであれば本発明の選択手段として用いることができる。
【００５２】
また、上記実施形態においては、コンテンツの１つに立体画像番組を採用しているため、右目用透過部３１と左目用透過部３２とを各々駆動可能な構成とした。しかしながら、コンテンツが２次元画像のみである場合には、右目用透過部３１と左目用透過部３２とを各々駆動可能な構成にする必要はない。
【００５３】
なお、上記実施形態においては、複数のコンテンツの一例として、立体画像番組、ニュース番組及びドラマを挙げて説明したが、本発明におけるコンテンツは、これらのものに限定されるものでない。
【００５４】
また、上記実施形態においては、表示装置２としてプロジェクタ２３及びスクリーン２４を備える構成とした。しかしながら、本発明はこれに限定されるものではなく、液晶表示装置、ＰＤＰ、ＣＲＴ、有機ＥＬ表示装置、ＦＥＤ等の画像表示可能な表示装置であれば本発明の表示装置として用いることができる。
【図面の簡単な説明】
【００５５】
【図１】本発明の一実施形態である画像表示装置の概略構成を示した斜視図である。
【図２】表示装置の機能構成を示したブロック図である。
【図３】眼鏡の機能構成を示したブロック図である。
【図４】信号処理部から出力される画像信号を説明するための図である。
【図５】本発明の一実施形態である画像表示装置の動作を説明するための図である。
【符号の説明】
【００５６】
１……画像表示装置、２……表示装置（表示手段）、２２……赤外発光ＬＥＤ（非可視光射出手段）、３……眼鏡、３１……右目用透過部（選択手段）、３２……左目用透過部（選択手段）、３３……スピーカー（音声出力部）３５……赤外受光素子（受光部）
【図１】
2006186768.tif 000003
【図２】
2006186768.tif 000004
【図３】
2006186768.tif 000005
【図４】
2006186768.tif 000006
【図５】
2006186768.tif 000007